(57)【要約】  撮影条件の中のどのパラメータをいくつにすれば指標値をどの程度にすることができるかが一目で把握できるようにして、撮影条件を設定する時の操作者の負担を軽減するために、本発明は、被検体の断層画像を取得して表示する医用画像撮影装置であって、撮影条件の各パラメータの値に基づいて指標値を算出する指標値算出部と、算出された指標値に応じて各パラメータの軸の目盛を設定する目盛設定部と、算出された指標値の大きさを示す図形と設定された目盛を有する各パラメータの軸とで構成される関係図を表示させる表示制御部と、を備えることを特徴とする。
2015156125.tif 000002
【特許請求の範囲】
【請求項１】
被検体の断層画像を取得して表示する医用画像撮影装置であって、
撮影条件の各パラメータの値に基づいて指標値を算出する指標値算出部と、
算出された指標値に応じて各パラメータの軸の目盛を設定する目盛設定部と、
算出された指標値の大きさを示す図形と、設定された目盛を有する各パラメータの軸とで構成される関係図を表示させる表示制御部と、
を備えることを特徴とする医用画像撮影装置。
【請求項２】
請求項1に記載の医用画像撮影装置において、
前記図形は指標値の大きさを示す棒グラフあるいは指標値の軸上で指標値の大きさを指し示すマーカであり、
前記関係図は、前記棒グラフあるいは前記指標値の軸と、各パラメータの軸とが平行に配置されて構成されることを特徴とする医用画像撮影装置。
【請求項３】
請求項1に記載の医用画像撮影装置において、
前記図形は指標値の大きさを示す平面図形であり、
前記関係図は、各パラメータの軸が前記平面図形の中心から放射状に配置されて構成されることを特徴とする医用画像撮影装置。
【請求項４】
請求項3に記載の医用画像撮影装置において、
前記平面図形の面積が前記指標値の大きさに対応し、
前記各パラメータの軸の目盛が前記指標値の平方根に対応するように設定されることを特徴とする医用画像撮影装置。
【請求項５】
請求項3に記載の医用画像撮影装置において、
前記関係図が前記被検体の体軸方向の位置毎に表示されることを特徴とする医用画像撮影装置。
【請求項６】
請求項4に記載の医用画像撮影装置において、
前記関係図とともに、前記被検体の体軸方向の位置を示す画像が表示されることを特徴とする医用画像撮影装置。
【請求項７】
請求項3に記載の医用画像撮影装置において、
前記平面図形の辺または円弧が操作されて前記指標値の大きさが指定されると、
指定された前記指標値の大きさに応じて、前記辺または前記円弧を挟んで隣り合うパラメータの組合せに関する撮影条件の候補が検索され表示されることを特徴とする医用画像撮影装置。
【請求項８】
請求項7に記載の医用画像撮影装置において、
前記関係図を構成する軸の中のあるパラメータの軸が他のパラメータの軸の間に第二の軸として設定されることを特徴とする医用画像撮影装置。
【請求項９】
請求項1に記載の医用画像撮影装置において、
前記関係図には、前記指標値の参照値が表示されることを特徴とする医用画像撮影装置。
【請求項１０】
被検体の断層画像を取得して表示する医用画像撮影装置を用いた医用画像撮影方法であって、
撮影条件の各パラメータの値に基づいて指標値を算出する指標値算出ステップと、
算出された指標値に応じて各パラメータの軸の目盛を設定する目盛設定ステップと、
算出された指標値の大きさを示す図形と、設定された目盛を有する各パラメータの軸とで構成される関係図を表示させる表示制御ステップと、
を備えることを特徴とする医用画像撮影方法。
【発明の詳細な説明】
【技術分野】
【０００１】
本発明はX線CT(Computed Tomography)装置やMRI(Magnetic Resonance Imaging)装置等の医用画像撮影装置に係り、撮影条件の設定を支援する技術に関する。
【背景技術】
【０００２】
X線CT装置に代表される医用画像撮影装置は被検体の体内を画像化する装置であり、病巣の発見などの診断に使用される。医用画像撮影装置の撮影条件には様々なパラメータが含まれており、例えばX線CT装置では、X線管球の管電圧や管電流、スキャナーの回転速度、寝台の移動速度等がある。操作者は、取得したい画質に基づいて撮影条件を設定する一方で、画質以外の指標値、例えばX線による被曝線量の大きさに気を配る必要がある。【０００３】
特許文献1には、設定された撮影条件における被曝線量を、管電圧−管電流の2次元マップ上で表示することが開示されている。
【先行技術文献】
【特許文献】
【０００４】
【特許文献１】特開2013-215473号公報
【発明の概要】
【発明が解決しようとする課題】
【０００５】
しかしながら、特許文献1では、設定された撮影条件における被曝線量の大きさを把握することはできるものの、被曝線量をある規定値以下にするために撮影条件の中のどのパラメータをいくつにすれば良いかを操作者に把握させるには至っていなかった。また、被曝線量以外の指標値、例えばMRI装置のSAR(Specific Absorption ratio)に関しても、ある規定値(上限値)以下にするために、撮影条件の中のどのパラメータをどの程度変化させればよいかを一目で把握したいというニーズがある。【０００６】
そこで本発明は、撮影条件を設定する時の操作者の負担を軽減できる医用画像撮影装置を提供することを目的とする。
【課題を解決するための手段】
【０００７】
上記目的を達成するために本発明は、撮影条件の各パラメータの値に基づいて算出された指標値に応じて各パラメータの軸の目盛を設定し、算出された指標値の大きさを示す図形と設定された目盛を有する各パラメータの軸とで構成される関係図を表示させることを特徴とする。【０００８】
具体的には、本発明は、被検体の断層画像を取得して表示する医用画像撮影装置であって、撮影条件の各パラメータの値に基づいて指標値を算出する指標値算出部と、算出された指標値に応じて各パラメータの軸の目盛を設定する目盛設定部と、算出された指標値の大きさを示す図形と設定された目盛を有する各パラメータの軸とで構成される関係図を表示させる表示制御部と、を備えることを特徴とする。
【発明の効果】
【０００９】
本発明によれば、撮影条件を設定する時の操作者の負担を軽減できる医用画像撮影装置を提供することが可能となる。
【図面の簡単な説明】
【００１０】
【図１】本発明のX線CT装置の全体構成図
【図２】第一の実施形態の機能構成を示す図
【図３】第一の実施形態の処理の流れを示す図
【図４】撮影条件設定画面の一例を示す図
【図５】指標値の一例である被曝線量と各パラメータとの関係を示す関係図の一例を示す図
【図６】図5の関係図から管電圧を変更したときの関係図を示す図
【図７】図6の関係図から管電流を変更したときの関係図を示す図
【図８】被曝線量及び画像SDと各パラメータとの関係を表示した関係図の一例を示す図
【図９】ある指標値と各パラメータとの関係を示す関係図の他の例を示す図(第二の実施形態)
【図１０】図9の関係図から管電圧を変更したときの関係図を示す図
【図１１】ある指標値と各パラメータとの関係を示す関係図を体軸方向に沿って表示した画面の一例を示す図
【図１２】ある指標値と各パラメータとの関係を示す関係図の他の例を示す図(第三の実施形態)
【図１３】図12の関係図に管電流の軸を追加したときの関係図を示す図
【図１４】本発明のMRI装置の全体構成図(第四の実施形態)
【図１５】指標値の一例であるSARと各パラメータとの関係を表示した関係図の一例を示す図
【発明を実施するための形態】
【００１１】
以下、添付図面に従って本発明に係る医用画像撮影装置の好ましい実施形態について説明する。なお、以下の説明及び添付図面において、同一の機能構成を有する構成要素については、同一の符号を付することにより重複説明を省略する。
【００１２】
[第一の実施形態]
図1は医用画像撮影装置の一例であるX線CT装置の全体構成を示すブロック図である。図1に示すようにX線CT装置1は、スキャンガントリ部100と操作ユニット120を備える。
【００１３】
スキャンガントリ部100は、X線管装置101と、回転円盤102と、コリメータ103と、X線検出器106と、データ収集装置107と、寝台装置105と、ガントリ制御装置108と、寝台制御装置109と、X線制御装置110を備えている。
【００１４】
X線管装置101は寝台装置105上に載置された被検体にX線を照射する装置である。コリメータ103はX線管装置101から照射されるX線の放射範囲を制限する装置である。回転円盤102は、寝台装置105上に載置された被検体が入る開口部104を備えるとともに、X線管装置101とX線検出器106を搭載し、被検体の周囲を回転するものである。
【００１５】
X線検出器106は、X線管装置101と対向配置され被検体を透過したX線を検出することにより透過X線の空間的な分布を計測する装置であり、多数の検出素子を回転円盤102の回転方向に1次元に配列したもの、あるいは多数の検出素子を回転円盤102の回転方向と回転軸方向との2次元に配列したものである。データ収集装置107は、X線検出器106で検出されたX線量をデジタルデータとして収集する装置である。
【００１６】
ガントリ制御装置108は回転円盤102の回転及び傾斜を制御する装置である。寝台制御装置109は、寝台装置105の上下前後左右動を制御する装置である。なお、上下前後左右の各方向は、図1中に示した方向であり、以降の説明ではそれぞれをY方向、Z方向、X方向とも呼ぶ。X線制御装置110はX線管装置101に入力される電力を制御する装置である。
【００１７】
操作ユニット120は、入力装置121と、画像処理装置122と、表示装置125と、記憶装置123と、システム制御装置124を備えている。入力装置121は、被検体氏名、検査日時、撮影条件等を入力するための装置であり、具体的にはキーボードやポインティングデバイス、タッチパネル等である。画像処理装置122は、データ収集装置107から送出される計測データを演算処理してCT画像の再構成を行う装置である。
【００１８】
表示装置125は、画像処理装置122で作成されたCT画像等を表示する装置であり、具体的にはCRT(Cathode-Ray Tube)や液晶ディスプレイ等である。記憶装置123は、データ収集装置107で収集したデータ及び画像処理装置122で作成されたCT画像の画像データ等を記憶する装置であり、具体的にはHDD(Hard Disk Drive)等である。システム制御装置124は、これらの装置及びガントリ制御装置108と寝台制御装置109とX線制御装置110を制御する装置である。またシステム制御装置124は、後述する処理の流れを実行しても良い。
【００１９】
入力装置121から入力された撮影条件、特にX線管電圧やX線管電流等に基づきX線制御装置110がX線管装置101に入力される電力を制御することにより、X線管装置101は撮影条件に応じたX線を被検体に照射する。X線検出器106は、X線管装置101から照射され被検体を透過したX線を多数のX線検出素子で検出し、透過X線の分布を計測する。回転円盤102はガントリ制御装置108により制御され、入力装置121から入力された撮影条件、特に回転速度等に基づいて回転する。寝台装置105は寝台制御装置109によって制御され、入力装置121から入力された撮影条件、特にらせんピッチ等に基づいて動作する。
【００２０】
X線管装置101からのX線照射とX線検出器106による透過X線分布の計測が回転円盤102の回転とともに繰り返されることにより、様々な角度からの投影データが取得される。投影データは、各角度を表すビュー(View)と、X線検出器106の検出素子番号であるチャネル(ch)番号及び列番号と対応付けられる。取得された様々な角度からの投影データは画像処理装置122に送信される。画像処理装置122は送信された様々な角度からの投影データを逆投影処理することによりCT画像を再構成する。再構成して得られたCT画像は表示装置125に表示される。
【００２１】
図2を用いて、本実施形態のX線CT装置1の機能構成について説明する。なおこれらの機能構成は専用のハードウェアで構成しても良いし、システム制御装置124上で動作するソフトウェアで構成しても良い。ここではソフトウェアで構成した場合について説明する。
【００２２】
X線CT装置1のシステム制御装置124は、指標値算出部20と目盛設定部21と表示制御部22とを備える。以下、各構成部について説明する。
【００２３】
指標値算出部20は、撮影条件の各パラメータの値に基づいて、指標値を算出する。指標値の算出には、予め設定された各パラメータと指標値との関係を示す関係式を用いても良いし、記憶装置123に記憶された各パラメータと指標との対応を示す対応表を用いても良い。本実施形態での指標値には、例えば被検体の被曝線量や、取得されるCT画像のノイズ量を示す画像SD(Standard Deviation)等が含まれる。各パラメータの値は、入力装置121を介して入力された値、または記憶装置123に予め記憶された値が用いられる。
【００２４】
目盛設定部21は、指標値算出部20で算出された指標値に応じて、各パラメータの軸の目盛を設定する。各パラメータの軸の目盛は、当該パラメータ以外のパラメータを一定としたときに、指標値の単位量と対応するように設定される。例えば、指標値があるパラメータのA倍に比例する場合、指標値に対してパラメータの軸の目盛は指標値の1/Aに相当し、指標値がパラメータの2乗に比例する場合、指標値に対してパラメータの軸の目盛は指標値の平方根に相当する。
【００２５】
表示制御部22は、指標値算出部20で算出された指標値の大きさを示す図形と、指標値の単位量に対応する目盛を有する各パラメータの軸とで構成された関係図を表示装置125に表示させる。指標値の大きさを示す図形は例えば軸上のマーカや棒グラフでも良いし、平面図形でも良い。表示装置に表示される関係図については後で詳細に説明する。
【００２６】
図3を用いて、本実施形態での処理の流れについて説明する。
【００２７】
(ステップ201)
指標値算出部20は、撮影条件を取得する。具体的には、入力装置121を介して入力された各パラメータ値が受け付けられるか、記憶装置123に記憶された各パラメータの値が読み出される。
【００２８】
図4に撮影条件設定画面の一例を示す。画面3は、画像表示領域300と撮影条件表示領域301を備えている。画像表示領域300には、撮影済みの画像が表示される。本実施形態では、画像表示領域300は必須ではない。撮影条件表示領域301には、撮影No.毎に撮影条件、例えばX線管装置101の管電圧や管電流、回転円盤102の回転速度等の各パラメータが表示される。また複数の指標値の中から所望の指標値を選択するための指標値選択部302を備えていても良い。画面3では指標値選択部302がプルダウンメニューで構成されており、被曝線量が選択されている。
【００２９】
(ステップ202)
指標値算出部20は、ステップ201で取得された撮影条件に基づいて指標値を算出する。指標値の算出には、予め設定された関係式を用いても良いし、記憶装置123に記憶された対応表を用いても良い。以降の説明では、次式に示す関係式を用いる。
【００３０】
D＝f(V,C,t,p)          (1)
なお、Dは被曝線量、Vは管電圧、Cは管電流、tはスキャン時間、pはらせんピッチであり、f()は被曝線量と管電圧、管電流、スキャン時間、らせんピッチとの関係を示す関係式である。
【００３１】
ここで、撮影条件のパラメータである管電圧、管電流、スキャン時間、らせんピッチにそれぞれV4、C4、t3、p4が設定されたとすると、式(1)を用いることにより、被曝線量Dはf(V4,C4,t3,p4)として算出される。
【００３２】
(ステップ203)
目盛設定部21は、ステップ202で算出された指標値に応じて、各パラメータの軸の目盛を設定する。例えば、指標値である被曝線量がf(V4,C4,t3,p4)であるときに、管電圧の目盛はD＝f(V,C4,t3,p4)の関係が成り立つように被曝線量と対応付けられて設定される。すなわち、管電圧以外のパラメータである管電流、スキャン時間、らせんピッチをそれぞれC4、t3、p4としたまま、指標値である被曝線量の値と対応づけられて管電圧の目盛が設定される。同様に、被曝線量がf(V4,C4,t3,p4)であるときに、管電流の目盛はD＝f(V4,C,t3,p4)の関係が、またスキャン時間の目盛はD＝f(V4,C4,t,p4)の関係が、ピッチの目盛はD＝f(V4,C4,t3,p)の関係が、それぞれ成り立つように被曝線量と対応付けられて設定される。
【００３３】
(ステップ204)
表示制御部22は、ステップ202で算出された指標値とステップ203で設定された各パラメータの軸の目盛に基づいて、指標値と各パラメータとの関係を示す関係図を表示装置125に表示する。
【００３４】
図5に関係図の一例を示す。関係図4は、軸401〜405とマーカ406を備えている。軸401〜405はそれぞれ被曝線量、管電圧、管電流、スキャン時間、らせんピッチを表す軸であり、互いに平行に配置される。また軸402〜405の目盛はそれぞれ、指標値の軸401と対応付けられる。すなわち、あるパラメータを変更したときに指標値がどの程度の値になるかがわかるように対応付けられている。
【００３５】
マーカ406は設定された撮影条件に基づいて算出された指標値の大きさを示す図形である。図5の関係図4では、管電圧、管電流、スキャン時間、らせんピッチにそれぞれV4、C4、t3、p4が設定されたときの指標値の大きさを、マーカ406の先端が軸401上で指し示している。すなわち、被曝線量がD5であることが示されている。なお、マーカ406の代わりに指標値の大きさを示す棒グラフで関係図4を構成しても良い。
【００３６】
また指標値である被曝線量の参照値として、被曝線量の上限値を示す図形が表示されても良い。関係図4では、被曝線量の上限値がD4とD5の間に破線によって表示されている。このような参照値を表示することで撮影条件に基づいて算出された指標値が適切であるか否かを操作者が判断する際の手助けとなる。図5の関係図4では、設定された撮影条件では被曝線量が上限値を超えていることが判断できる。
【００３７】
(ステップ205)
システム制御装置124は、撮影条件の変更がなされたか否かを判断する。撮影条件が変更されたのであればステップ201へ戻り、変更がなければ処理の流れは終了となる。撮影条件が変更されたか否かは、パラメータの値が新たに設定されたか否かにより判断される。
【００３８】
例えば、図6の関係図5は、図5の関係図4において管電圧の値がV4からV3へ変更された状態であり、撮影条件の変更がなされたとシステム制御装置124が判断してステップ201へ戻り、ステップ201〜204の処理を実行した結果である。以下、各ステップについて説明する。
【００３９】
ステップ201では、指標値算出部20が変更された撮影条件、すなわち管電圧の値V3を取得する。ステップ202では指標値算出部20が変更された撮影条件に応じた指標値を算出する。ここでは、管電圧の値がV3になったことにより被曝線量はD3の値として算出される。ステップ203では目盛設定部21が算出された被曝線量に応じて各パラメータの軸の目盛を設定する。ここでは、管電圧の値の変更にともない被曝線量がD5からD3に変わったので管電圧の軸402に変更はなく、管電圧以外の軸403〜405の目盛が被曝線量の値に応じて変更される。ステップ204では表示制御部22がステップ202とステップ203の処理結果に基づいて、図6の関係図5を表示装置125に表示させる。
【００４０】
また、図7の関係図6は、図6の関係図5において管電流の値がC4からC5に変更された状態であり、システム制御装置124がステップ201〜204の処理を実行した結果である。図7の関係図6では、図6に対して管電流の軸403に変更はなく、管電流以外の軸402、404、405の目盛が被曝線量の値に応じて変更される。
【００４１】
また、指標値が被曝線量である場合、被検体の過去の撮影履歴を取得し、取得した撮影履歴から被曝履歴を算出して、算出された被曝履歴を今回の撮影による被曝線量に累積して表示しても良い。被曝履歴を累積して表示することにより、操作者に撮影履歴を考慮させながら撮影条件を設定させることができる。
【００４２】
なお、図5〜7の関係図4〜6では、指標値は被曝線量の一つだけが表示されていたが、複数の指標値が関係図上に表示されても良い。図8は複数の指標値が表示された関係図の例であり、被曝線量の軸401の左隣に画像SDの軸701が表示されている。
【００４３】
複数の指標値が関係図上に表示される場合、複数の指標値の中の一つの値が、設定された撮影条件に基づいて指標値算出部20により算出される。そして算出された一つの指標値に応じて目盛設定部21が各パラメータの軸の目盛を設定し、各パラメータの軸の目盛に応じて、他の指標値の軸の目盛が設定される。図8の関係図7では、撮影条件として設定された管電圧V4、管電流C4、スキャン時間t3、ピッチp4に基づいて被曝線量がD5として算出され、被曝線量の値に応じて各パラメータの軸402〜405の目盛が設定される。そして各パラメータの軸402〜405の目盛に応じて、画像SDの軸701の目盛が設定される。画像SDの軸701には、画像SDの参照値として、予め設定された画像SDの目標値を示す破線が表示されても良い。なお、マーカ406は被曝線量と画像SDがそれぞれD5とSD5であることを示している。
【００４４】
また、指標値の例として被曝線量と画像SDについて説明したが、指標値はこれらに限られるものではない。例えば、検査に要する時間、すなわち撮影を開始してから診断用の医用画像が作成されるまでの時間を指標値としても良い。検査に要する時間を指標値とする場合は、撮影条件のパラメータとしてスキャン時間、スキャン数、再構成枚数、逐次近似処理のレベル、ディレータイム等を設定するための関係図を表示すれば良い。
【００４５】
以上説明した実施形態によれば、撮影条件の中のどのパラメータをいくつにすれば指標値をどの程度にすることができるかが一目で把握できるようになるので、撮影条件を設定する時の操作者の負担を軽減することができる。
【００４６】
[第二の実施形態]
次に第二の実施形態について説明する。第一の実施形態では、指標値の軸と各パラメータの軸とが平行に配置された関係図であった。本実施形態では、各パラメータの軸を放射状に配置し、指標値の大きさを平面図形の面積で表示する。すなわち、本実施形態では指標値と各パラメータとの関係を示す関係図の構成が第一の実施形態と異なり、他の構成については第一の実施形態と同様である。同様の構成については説明を省略する。
【００４７】
図9に本実施形態の関係図の一例を示す。関係図8は、軸801〜805と平面図形806を備えている。軸801〜805はスキャン時間、管電圧、管電流、回転円盤102の傾斜角であるティルト角、X線照射幅であるコリメーション、を表す軸であり、原点800から放射状に、また原点800の周りに等角度に配置される。軸801〜805の目盛はそれぞれ、指標値の大きさと対応付けられる。すなわち、第一の実施形態と同様に、撮影条件に基づいて指標値が算出され、算出された指標値の大きさを原点800からの距離が表すように軸801〜805の目盛が設定される。
【００４８】
平面図形806は面積により指標値の大きさを表す図形である。各軸上で指標値の大きさに対応する点が算出され、算出された点を結ぶことにより平面図形806が形成される。すなわち平面図形806は、原点800を中心とする正多角形であり、パラメータの軸の数の頂点を有する。図9の関係図8では、パラメータの軸が5本あるので、平面図形806は正五角形である。なお、原点800からの距離が指標値の大きさを表すように各パラメータの軸の目盛が設定されているので、平面図形806の形状は円形でも良い。また、扇形や、扇形の円弧上の任意の点と端点とを結ぶことで形成される多角形であっても良い。なお、平面図形806とともに算出された指標値を数値で表示しても良い。
【００４９】
平面図形806の面積が指標値の大きさを表すので、軸801〜805の目盛は指標値の平方根に対応するように設定されても良い。軸801〜805の目盛が指標値の平方根に対応するように設定されると、指標値の大きさに比例して平面図形806の面積が変化するので、操作者に指標値の大きさを直感的に把握させやすくなる。
【００５０】
また指標値の目標値を示す図形が参照値として関係図上に表示されても良い。図9の関係図8では、指標値の目標値が正多角形808によって表示されている。このような目標値を表示することで撮影条件に基づいて算出された指標値が適切であるか否かを操作者が判断する際の手助けとなる。図9の関係図8では、設定された撮影条件では指標値が目標値に達していないことが判断できる。
【００５１】
操作者が図9の関係図8を見て、撮影条件、例えば管電圧を変更したいと思った場合、管電圧の表示ラベル807を指定する。管電圧の表示ラベル807が指定されると、管電圧として選択し得る値が軸802上に表示される。図9の関係図8では、選択し得る値として100kVと120kV、140kVが表示されている。
【００５２】
さらに図9の関係図8において管電圧の値として120kVが選択されると、図10の関係図9に表示が切り替わる。すなわち、第一の実施形態と同様に、変更された撮影条件に基づいて指標値が算出され、算出された指標値の大きさが平面図形806の面積に反映される。このとき、管電圧以外のパラメータは変更されていないので、管電圧以外のパラメータの軸801、803〜805の目盛が指標値の大きさに応じて変更される。
【００５３】
例えば、図9の関係図8において管電流が200mAとして設定されていた場合、図9の関係図8では管電流の軸803と平面図形806との交点は200mAであり、図10の関係図9でも管電流の軸803と平面図形806との交点が200mAとなるように、管電流の軸803の目盛が変更される。
【００５４】
また、本実施形態において撮影条件の中のあるパラメータを変更する場合に、平面図形806の頂点、すなわち各パラメータの軸801〜805との交点をマウス操作により軸801〜805上で移動させるようにしても良い。
【００５５】
本実施形態の関係図の構成は、いわゆるレーダーチャートのような表示形態であるが、レーダーチャートとは異なり、各パラメータの軸801〜805の目盛が、算出された指標値の大きさ、すなわち同一の尺度に応じて設定されている。また指標値の大きさを表す平面図形806の形状は常に正多角形または円形であるので、平面図形806の面積から指標値の大きさを把握することが容易となる。
【００５６】
以上説明した実施形態によれば、撮影条件の中のどのパラメータをいくつにすれば指標値をどの程度にすることができるかが一目で把握できるようになるので、撮影条件を設定する時の操作者の負担を軽減することができる。また、本実施形態の関係図によれば、第1の実施形態の関係図よりも表示領域を小さくできるので、他の情報の表示を必要とする画面を構成する場合に有利である。
【００５７】
例えば、撮影条件が被検体の体軸方向の位置によって異なる場合には、図11に示すような画面10を表示すれば良い。画面10は、画像表示領域1000と撮影条件表示領域1001を備えている。画像表示領域1000には、撮影済みの画像、例えばスキャノグラム画像が表示される。スキャノグラム画像には被検体の体軸方向の位置が表示されても良い。撮影条件表示領域1001には、撮影条件と指標値との関係を示す関係図、すなわち図9、10に示したような関係図が、被検体の体軸方向の位置z毎に表示される。このような画面10が表示されることにより、操作者は体軸方向位置毎の指標値を一目で把握することができる。
【００５８】
[第三の実施形態]
次に第三の実施形態について説明する。第二の実施形態では、平面図形806の頂点、すなわち各パラメータの軸上でパラメータを変更するGUI(Graphical User Interface)であった。本実施形態では、平面図形806の辺をマウス操作することでパラメータを変更する。
【００５９】
すなわち、本実施形態ではパラメータを変更する構成が第二の実施形態と異なり、他の構成については第二の実施形態と同様である。同様の構成については説明を省略する。
【００６０】
図12に本実施形態の関係図の一例を示す。関係図11の構成は図9、10の関係図8、9と同様であるが、辺1101をマウス操作して指標値の大きさを指定することにより、辺1101を挟んで隣り合うパラメータの値の組合せが設定される。例えば、指標値の目標値を示す正多角形808の辺の上に辺1101がドラッグされると、辺1101を挟んで隣り合うパラメータの組合せである管電圧と管電流について、指標値が目標値と同等になる条件の候補が検索され、関係図上に表示される。
【００６１】
なお目標値と同等とは、目標値から予め定められた範囲内にあることである。図12の関係図11では、管電圧と管電流の組合せとして、100kV-350mA、120kV-350mA、120kV-400mAが表示されている。操作者は表示された組合せの中から所望の撮影条件を選択すれば良い。なお管電圧と管電流の候補が検索されるときには、管電圧と管電流以外のパラメータであるスキャン時間、ティルト角、コリメーションは設定された値で固定される。
【００６２】
図13に本実施形態の関係図の他の例を示す。図12の関係図11では、平面図形806の一辺をマウス操作することにより、辺を挟んで隣り合うパラメータの組合せを設定することができた。しかし、隣り合っていないパラメータの組合せ、例えば管電流とスキャン時間の組合せを設定することはできなかった。そこで、図13の関係図12では、パラメータの軸の配置を変更可能とし、所望のパラメータの組合せを設定可能とする。
【００６３】
関係図12では、管電流の第二の軸1201がスキャン時間の軸801とコリメーションの軸805の間に配置されている。このように管電流の第二の軸1201が配置されることにより、関係図11では設定できなかったパラメータの組合せが設定できるようになる。すなわち、辺1202を操作することにより管電流とスキャン時間の組合せが、辺1203を操作することにより管電流とコリメーションの組合せが、それぞれ設定できるようになる。
【００６４】
なお、平面図形806が正多角形ではなく円形である場合には、辺1101の代わりに2つのパラメータの軸の間にある円弧がマウス操作される。
【００６５】
以上説明した実施形態によれば、撮影条件の中のどのパラメータをいくつにすれば指標値をどの程度にすることができるかが一目で把握できるようになるとともに、所望のパラメータの組合せについて候補が検索されるので、撮影条件を設定する時の操作者の負担を軽減することができる。
【００６６】
[第四の実施形態]
次に第四の実施形態について説明する。第一から第三の実施形態では医用画像診断装置の一例としてX線CT装置を挙げた。本実施形態では医用画像診断装置の他の例としてMRI装置を挙げる。
【００６７】
図13はMRI装置の一構成例の概略図である。MRI装置13は、被検体1301の周囲に静磁場を発生させる静磁場発生用磁石1302と、傾斜磁場を発生させる傾斜磁場コイル1303と被検体に高周波磁場パルス(「RFパルス」とも言う)を照射する照射コイル1304、被検体からのNMR信号を検出する受信コイル1305と被検体1301が横たわるベッド1306を備えている。
【００６８】
静磁場発生用磁石1302は、被検体1301の周りのある広がりをもった空間に配置された、永久磁石・超伝導磁石・常伝導磁石のいずれかからなり、被検体1301の体軸と平行または垂直な方向に均一な静磁場を発生させる。
【００６９】
傾斜磁場コイル1303は、傾斜磁場電源1307からの信号に従って、X、Y、Zの3軸方向の傾斜磁場を、被検体1301に印加する。傾斜磁場の印加の仕方によって、被検体の撮像断面が設定される。
【００７０】
照射コイル1304は、RF送信部1308の信号に基づいてRFパルスを発生する。このRFパルスにより、傾斜磁場コイル1303によって設定された被検体1301の撮像断面の生体組織を構成する原子の原子核が励起されてNMR(Nuclear Magnetic Resonance)現象が誘起される。
【００７１】
照射コイル1304から照射されたRFパルスにより誘起された被検体1301の生体組織を構成する原子の原子核のNMR現象によって発生したNMR信号であるエコー信号は、被検体1301に接近して配置された受信コイル1305を通して信号検出部1309で検出され、信号処理部1310で信号処理されて画像に変換される。変換された画像は表示部1311で表示される。
【００７２】
入力部1313には、撮像に必要な繰り返し時間(TR)やエコー時間(TE)などのパラメータが操作者によって入力され、これらのパラメータは表示部1311へ送られ表示される。同様にこれらのパラメータは制御部1312へ送られる。
【００７３】
制御部1312は、入力部1313から受け取ったパラメータに従って、スライスエンコード、位相エンコード、周波数エンコードの各傾斜磁場とRFパルスをある所定のパルスシーケンスで繰り返し発生するために、傾斜磁場電源1307、RF送信部1308、信号処理部1310を制御する。
【００７４】
被検体1301に照射されたRFパルスの一部は被検体1301に吸収され、体温上昇等の悪影響をもたらす。そこで、MRI装置被検体1301を撮影する場合には、人体に吸収されるRFパルスの割合であるSAR(Specific Absorption Ratio)を考慮しながら撮影条件を設定する必要がある。SARは静磁場の二乗に比例するので、特に3T程度の高磁場装置ではSARに特に気を配る必要がある。
【００７５】
本実施形態のMRI装置13の制御部1312は、第一の実施形態と同様に、指標値算出部20と目盛設定部21と表示制御部22を備える。これらが第一の実施形態と同様に機能することにより、MRI装置においても撮影条件のパラメータとSARのような指標値との関係を一目で把握できるようになる。
【００７６】
図15に関係図の一例を示す。関係図14は、軸1401〜1404とマーカ1406を備えている。軸1401〜1404はそれぞれSAR、フリップ角度、スライス数、繰り返し時間を表す軸であり、互いに平行に配置される。また軸1402〜1404の目盛はそれぞれ、指標値の軸1401と対応付けられる。すなわち、あるパラメータを変更したときに指標値がどの程度の値になるかがわかるように対応付けられている。
【００７７】
マーカ1406は設定された撮影条件に基づいて算出された指標値の大きさを示すものである。図15の関係図14では、フリップ角度、スライス数、繰り返し時間にそれぞれFA4、S4、TR1が設定されたときの指標値の大きさを、マーカ1406の先端が軸1401上で指し示している。すなわち、SARがSAR5であることが示されている。
【００７８】
また関係図14では、SARの参照値として、SARの上限値がD4とD5の間に破線によって表示されている。このような参照値を表示することで撮影条件に基づいて算出された指標値が適切であるか否かを操作者が判断する際の手助けとなる。図15の関係図14では、設定された撮影条件ではSARが上限値を超えていることが判断できる。
【００７９】
以上説明した実施形態によれば、撮影条件の中のどのパラメータをいくつにすれば指標値をどの程度にすることができるかがMRI装置においても一目で把握できるようになるので、撮影条件を設定する時の操作者の負担を軽減することができる。
【００８０】
なお、本発明の医用画像表示装置は上記実施形態に限定されるものではなく、発明の要旨を逸脱しない範囲で構成要素を変形して具体化できる。また、上記実施形態に開示されている複数の構成要素を適宜組み合わせても良い。さらに、上記実施形態に示される全構成要素からいくつかの構成要素を削除しても良い。
【符号の説明】
【００８１】
1  X線CT装置、100  スキャンガントリ部、101  X線管装置、102  回転円盤、103  コリメータ、104  開口部、105  寝台装置、106  X線検出器、107  データ収集装置、108  ガントリ制御装置、109  寝台制御装置、110  X線制御装置、120  操作ユニット、121  入力装置、122  画像処理装置、123  記憶装置、124  システム制御装置、125  表示装置、20  指標値算出部、21  目盛設定部、22  表示制御部、3  画面、300  画像表示領域、301  撮影条件表示領域、302  指標値選択部、4、5、6、7  関係図、401  被曝線量の軸、402  管電圧の軸、403  管電流の軸、404  スキャン時間の軸、405  ピッチの軸、406  マーカ、701  画像SDの軸、8、9  関係図、801  スキャン時間の軸、802  管電圧の軸、803  管電流の軸、804  ティルト角の軸、805  コリメーションの軸、806  平面図形、807  管電圧の表示ラベル、808  指標値の目標値を示す正多角形、10  画面、1000  画像表示領域、1001  撮影条件表示領域、11  関係図、1101  辺、12  関係図、1201  管電流の第二の軸、1202、1203  辺、13  MRI装置、1301:被検体、1302  静磁場発生用磁石、1303  傾斜磁場コイル、1304  照射コイル、1305  受信コイル、1306  ベッド、1307  傾斜磁場電源、1308  RF送信部、1309  信号検出部、1310  信号処理部、1311  表示部、1312  制御部、1313  入力部、14  関係図、1401  SARの軸、1402  フリップ角度の軸、1403  スライス数の軸、1404  繰り返し時間の軸、1406  マーカ
【図１】
2015156125.tif 000003
【図２】
2015156125.tif 000004
【図３】
2015156125.tif 000005
【図４】
2015156125.tif 000006
【図５】
2015156125.tif 000007
【図６】
2015156125.tif 000008
【図７】
2015156125.tif 000009
【図８】
2015156125.tif 000010
【図９】
2015156125.tif 000011
【図１０】
2015156125.tif 000012
【図１１】
2015156125.tif 000013
【図１２】
2015156125.tif 000014
【図１３】
2015156125.tif 000015
【図１４】
2015156125.tif 000016
【図１５】
2015156125.tif 000017
【国際調査報告】
2015156125.tif 000018
2015156125.tif 000019